(57)【要約】【課題】  着用者が横向きに寝ているときの液漏れ防止に優れた吸収性物品を提供する。【解決手段】  吸収性物品１は、吸収体２と、吸収体２を内包する積層シート３と、左右の起立性ギャザー部４及び５と、吸収性物品１の前部Ｆと中部Ｍとの境界領域にある吸収体２の左右の第１切込み及び積層シート３の左右の第３切込みと、中部Ｍと後部Ｂとの境界領域にある吸収体２の左右の第２切込みと、を備え、中部Ｍにある吸収体２の左右側部は、着用者の股部の内腿に沿って対向するように折り曲げて使用される左右の大腿部吸収体６及び７を形成する。【選択図】  図１
2020025739.tif 000002
【特許請求の範囲】
【請求項１】
吸収体と、該吸収体を内包するように複数のシートが積層された積層シートと、該積層シートの着用者対向面上で長手方向に伸びる左右の起立性ギャザー部と、を備える吸収性物品であって、
該吸収性物品は、着用者の下腹部、股部及び尻部に夫々対応する前部、中部及び後部に区画され、
該前部と該中部との境界領域に、該吸収体の幅方向内方へ伸びる左右の第１切込みを有し、
該中部と該後部との境界領域に、該吸収体の幅方向内方へ伸びる左右の第２切込みを有し、
該前部と該中部との境界領域に、該第１切込みへ向かって該積層シートの幅方向内方へ伸びる左右の第３切込みを有し、
該中部にある該吸収体の左右側部は、着用者の股部の内腿に沿って対向するように折り曲げて使用される左右の大腿部吸収体を形成することを特徴とする吸収性物品。
【請求項２】
前記中部と前記後部との境界領域に、前記第２切込みへ向かって前記積層シートの幅方向内方へ伸びる左右の第４切込みを有することを特徴とする請求項１記載の吸収性物品。
【請求項３】
前記中部にある前記吸収体の左右側部を折り曲げるための誘導部が設けられていることを特徴とする請求項１記載の吸収性物品。
【請求項４】
前記大腿部吸収体の着用者対向面及びその反対面の両方を覆う防漏構造を有することを特徴とする請求項１記載の吸収性物品。
【発明の詳細な説明】
【技術分野】
【０００１】
本発明は、使い捨ての吸収パッドやおむつなどの吸収性物品に関する。
【背景技術】
【０００２】
使い捨ての吸収性物品として、図６に示すように、長手方向の中部が狭くなったひょうたん型の吸収性コア１０２と、該吸収性コア１０２を挟んだ液透過性の表面シート１０３及び液不透過性の裏面シート１０４と、該表面シート１０３上で長手方向に伸びる左右の起立性ギャザー部１０５，１０６と、を備えた吸収性物品１０１が知られている。
【０００３】
この吸収性物品１０１は、着用者の股部に対応する該中部が狭くなっており、該中部にある該吸収性コア１０２が小さい。そのため、着用者が横向きに寝ているとき、排泄された尿が、該中部の該吸収性コア１０２で十分に吸収されず、外部へ漏れてしまうことがある。
【０００４】
特許文献１には、使い捨ての吸収性物品であって、長方形の吸収性コアと、該吸収性コアを挟んだ長方形の表面シート及び裏面シートと、該表面シート上で長手方向に伸びる左右の立体防漏構造形成シートと、を備えたものが開示されている。該吸収性コアは、その前方域及び後方域に、その左右側縁から幅方向内方且つ長手方向内方に入り込んだ切り欠きを有する。この吸収性物品が着用されるとき、該吸収性コアの前後の該切り欠きの間の部分が該表面シート側に折り曲げられて、該吸収性コアが舟形状に変形する。更に、左右の該防漏構造形成シートの自由端部が起立する。
【０００５】
この吸収性物品は、該吸収性コアが前記舟形状に変形するため、着用者とのフィット性が低い。そのため、着用者が横向きに寝ているとき、排泄された尿が、該立体防漏構造形成シートと着用者との間に生じた隙間から外部へ漏れるおそれがある。
【先行技術文献】
【特許文献】
【０００６】
【特許文献１】特許第５９８２２７２号公報
【発明の概要】
【発明が解決しようとする課題】
【０００７】
本発明の一つの目的は、着用者が横向きに寝ているときの液漏れ防止に優れた吸収性物品を提供することである。本発明の他の目的は、着用者へのフィット性に優れた吸収性物品を提供することである。
【課題を解決するための手段】
【０００８】
本発明の一の態様は、吸収体と、該吸収体を内包するように複数のシートが積層された積層シートと、該積層シートの着用者対向面上で長手方向に伸びる左右の起立性ギャザー部と、を備える吸収性物品であって、該吸収性物品は、着用者の下腹部、股部及び尻部に夫々対応する前部、中部及び後部に区画され、該前部と該中部との境界領域に、該吸収体の幅方向内方へ伸びる左右の第１切込みを有し、該中部と該後部との境界領域に、該吸収体の幅方向内方へ伸びる左右の第２切込みを有し、該前部と該中部との境界領域に、該第１切込みへ向かって該積層シートの幅方向内方へ伸びる左右の第３切込みを有し、該中部にある該吸収体の左右側部は、着用者の股部の内腿に沿って対向するように折り曲げて使用される左右の大腿部吸収体を形成することを特徴とする。
【０００９】
本発明の他の態様の吸収性物品は、前記中部と前記後部との境界領域に、前記第２切込みへ向かって前記積層シートの幅方向内方へ伸びる左右の第４切込みを有してもよい。本発明の更に他の態様の吸収性物品は、前記中部にある前記吸収体の左右側部を折り曲げるための誘導部が設けられていてもよい。本発明の更に他の態様の吸収性物品は、前記大腿部吸収体の着用者対向面及びその反対面の両方を覆う防漏構造を有してもよい。
【００１０】
本発明は、前記の態様に限定されない。本発明の更なる詳細、特徴、機能、及び／又は効果は、本発明の好ましい例示的な実施形態についての以下の説明によって更に明らかになる。
【図面の簡単な説明】
【００１１】
【図１】本発明の一実施例である吸収性物品の斜視図である。
【図２】本発明の一実施例である吸収性物品を弾性体が収縮力を発揮していない状態で示した平面図である。
【図３】図２の吸収性物品が着用される状態のＩＩＩ―ＩＩＩ線断面図である。
【図４】本発明の他の実施例である吸収性物品を弾性体が収縮力を発揮していない状態で示した平面図である。
【図５】図４の吸収性物品が着用される状態のＶ―Ｖ線断面図である。
【図６】従来例の吸収性物品を弾性体が収縮力を発揮していない状態で示した平面図である。
【発明を実施するための形態】
【００１２】
図１から図３は、本発明の一実施例である吸収性物品１を示す。吸収性物品１は、図示しない使い捨ておむつやパンツなどの着用物の内側表面に取付けられ、尿取りパッド、失禁用パッド等として使用される。図１に示すように、吸収性物品１は、吸収体２と、吸収体２を内包するように複数のシートが積層された積層シート３と、積層シート３の着用者対向面３ａ上で長手方向に伸びる左右の起立性ギャザー部４及び５と、着用者の股部の内腿に沿って対向するように折り曲げて使用される左右の大腿部吸収体６及び７と、を備えている。                                                                                                                                                                                                                                                                                                                                                                                                                                                                                                          
【００１３】
図１及び図２に示すように、吸収性物品１は、着用者の下腹部、股部及び尻部に夫々対応する、前部Ｆ、中部Ｍ及び後部Ｂに区画されている。吸収性物品１は、長手方向を前後方向として、幅方向を左右方向とする。
【００１４】
吸収体２は、液保持性を有し、着用者から排出された尿や血液などの液体を素早く吸収して、内部に保持する。吸収体２の原材料は、例えば、ロールシート状のパルプを解繊した吸水性繊維、及び、粉末状又は顆粒状の高吸水性ポリマー、を含む。これら原材料が、吸引ドラムの周面に設置された成形型へ空気搬送され、成形型の中に吸引されながら堆積して成形される。かかる成形物を、図示しない吸水紙又は不織布で挟む又は包むことにより、吸収体が製造される。
【００１５】
前部Ｆと中部Ｍとの境界領域には、吸収体２の左右側縁の夫々から幅方向内方へ伸びる左の第１切込み８及び右の第１切込み９が形成されている。中部Ｍと後部Ｂとの境界領域には、吸収体２の左右側縁の夫々から幅方向内方へ伸びる左の第２切込み１０及び右の第２切込み１１が形成されている。左右の第１切込み８及び９間の距離は、左右の第２切込み１０及び１１間の距離よりも大きいが、これに限られず、等しくてもよく、小さくてもよい。
【００１６】
中部Ｍにある吸収体２の左右方向の最大幅は、前部Ｆにある吸収体２の左右方向の最大幅より大きいが、これに限られず、等しくてもよく、小さくてもよい。中部Ｍにある吸収体２の左右方向の最大幅は、後部Ｂにある吸収体２の左右方向の最大幅と等しいが、これに限られず、小さくてもよく、大きくてもよい。中部Ｍにある吸収体２は、着用者の股部の内腿に沿って対向するように折り曲げて使用される左右の大腿部吸収体６及び７を形成でき、且つ吸収性物品１の着用者が横向きに寝た状態で排泄した尿を十分に吸収し保持できるように、適切な様々な大きさ及び形状を採用することができる。
【００１７】
図２又は図３に示すように、積層シート３は、トップシート１２、ボトムシート１３、左ギャザーシート１４、右ギャザーシート１５、及び液不透過性シート１６ａ，１６ｂ，１６ｃと、を含む。図２において、液不透過性シート１６ａ，１６ｂ，１６ｃは省略されている。積層シート３を構成する各シートの前後方向の長さは、同じであり、また、吸収体２の前後方向の長さよりも長い。
【００１８】
トップシート１２は、長方形状である。トップシート１２は、吸収体２の上面すなわち着用者対向面の上に、吸収体２の左右側部を除いた中央部を覆うように配置される。トップシート１２の左右方向の幅は、前部Ｆ、中部Ｍ及び後部Ｂにある吸収体２の各最大幅よりも小さい。トップシート２は、左右の第１切込み８，９の内奥部及び左右の第２切込み１０，１１の内奥部を覆っている。トップシート１２は、液透過性を有し、尿や血液などの液体がトップシート１２を透過して吸収体２の中へ移ることを可能にする。
【００１９】
ボトムシート１３は、吸収性物品１の外装シートである。ボトムシート１３は、吸収体２の下面すなわち着用者対向面の反対面の下に、吸収体２全体を覆うように配置される。前部Ｆ、中部Ｍ及び後部Ｂのいずれにおいても、ボトムシート１３の左右方向の幅は、吸収体２の左右方向の幅よりも大きい。ボトムシート１３と吸収体２との間には、ボトムシート１３と略同一形状の液不透過性シート１６ａが配置され、接着剤などで接合される。ボトムシート１３及び液不透過性シート１６ａは、トップシート３を透過した液体や、吸収体２が吸収又は保持しきれなかった液体が、外部へ漏れるのを防止する。液不透過性シート１６ａがある場合は、ボトムシート１３は漏れ防止のためには無くても良い。不織布からなるボトムシート１３がポリエチレンやポリエステルのフィルムなどからなる液不透過性シート１６ａの外側を覆う場合には、吸収性物品１をアウターであるおむつや下着に装着して使用したときにずれ難くしたり、肌ざわりを良くする効果がある。
【００２０】
左ギャザーシート１４は、吸収体２の上面すなわち着用者対向面の上に、吸収体２の左側部を覆うように配置される。左ギャザーシート１４の左側縁は、ボトムシート１３の左側縁と略同じ輪郭である。左ギャザーシート１４の右側部は、その右側縁を折り目としたトップシート１２へ向かう折り返し部１４ａを有する。
【００２１】
左ギャザーシート１４の左側部と吸収体２の左側部との間には、液不透過性シート１６ｂが配置され、接着剤などで接合される。液不透過性シート１６ｂの左側縁は、ボトムシート１３の左側縁と略同じ輪郭である。
【００２２】
左ギャザーシート１４とその折り返し部１４ａとの間には、前後方向両端部を除いた位置に、前後方向に伸びる弾性体１７ａ，１７ｂ，１７ｃが、該折り目から順に並列に設置されている。折り返し部１４ａを含む左ギャザーシート１４は、左側部及び前後方向両端部で積層シート３の他のシートと接着剤などで固定されている。弾性体１７ａ，１７ｂ，１７ｃの収縮により、左ギャザーシート１４にひだが形成されると共に、左ギャザーシート１４の右側部がトップシート１２の上面から起立する。このようにして、積層シート３の着用者対向面３ａであるトップシート１２の上面上で、長手方向に伸びる左の起立性ギャザー部４が形成される。
【００２３】
右ギャザーシート１５は、吸収体２の上面すなわち着用者対向面の上に、吸収体２の右側部を覆うように配置される。右ギャザーシート１５の右側縁は、ボトムシート１３の右側縁と略同じ輪郭である。右ギャザーシート１５の左側部は、その左側縁を折り目としたトップシート１２へ向かう折り返し部１５ａを有する。
【００２４】
右ギャザーシート１５の右側部と吸収体２の右側部との間には、液不透過性シート１６ｃが配置され、接着剤などで接合される。液不透過性シート１６ｃの右側縁は、ボトムシート１３の右側縁と略同じ輪郭である。
【００２５】
右ギャザーシート１５とその折り返し部１５ａとの間には、前後方向両端部を除いた位置に、前後方向に伸びる弾性体１７ｄ，１７ｅ，１７ｆが、該折り目から順に並列に設置されている。折り返し部１５ａを含む右ギャザーシート１５は、右側部及び前後方向両端部で積層シート３の他のシートと接着剤などで固定されている。弾性体１７ｄ，１７ｅ，１７ｆの収縮により、右ギャザーシート１５にひだが形成されると共に、右ギャザーシート１５の左側部がトップシート１２の上面から起立する。このようにして、積層シート３の着用者対向面３ａであるトップシート１２の上面上で、長手方向に伸びる右の起立性ギャザー部５が形成される。
【００２６】
トップシート１２の原材料は、例えば、ポリエチレン、ポリプロピレン、ポリエステル、ナイロン、レーヨン等の化学繊維、綿、セルロース等の天然繊維、またはこれらの組合せからなる、液透過性の不織布を用いることができる。トップシート１２は、不織布に限られず、例えば、液透過可能に形成された有孔フィルム、ティシュ、もしくはそれらの積層体、又はそれらを適宜つなぎ合わせてシート状にしたものでもよい。
【００２７】
ボトムシート１３、左ギャザーシート１４、及び、右ギャザーシート１５は、液不透過性または撥水性を有しており、例えば、ポリエチレン、ポリプロピレン、ポリエステル、ナイロン、レーヨン等の化学繊維、綿、セルロース等の天然繊維、又はこれらの組合せなどの原材料からなる不織布である。ボトムシート１３、左ギャザーシート１４、及び右ギャザーシート１５は、不織布に限られず、例えば、樹脂フィルム、ティッシュ、伸縮材、若しくは、それらの積層体、又はそれらを適宜つなぎ合わせてシート状としたものでもよい。
【００２８】
液不透過性シート１６ａ，１６ｂ，１６ｃは、例えば、ポリエチレン、ポリプロピレン、ポリエステル、ナイロンなどのフィルムや、コーティング加工した不織布などの液不透過性の材料で形成される。
【００２９】
積層シート３及びこれを構成する各シートは、前述したものに限られず、吸収体２を内包し、着用者から排泄された尿などの液体を外部に漏らさずに、吸収体２に吸収及び保持させるために、適切な様々な大きさ、形状、及び積層の順序を採用することができる。
【００３０】
弾性体１７ａ，１７ｂ，１７ｃ，１７ｄ，１７ｅ，１７ｆは、例えば、天然ゴム、ポリウレタン樹脂、伸縮性のホットメルト等の伸縮可能な糸状の原材料により形成される。これらの弾性体は、糸状に限らず、帯状又はシート状でもよい。
【００３１】
前部Ｆと中部Ｍとの境界領域には、積層シート３の左側縁から、左の第１切込み８へ向かって、積層シート３の幅方向内方へ伸びる左の第３切込み１８、及び、積層シート３の右側縁から、右の第１切込み９へ向かって、積層シート３の幅方向内方へ伸びる右の第３切込み１９が形成されている。
【００３２】
中部Ｍと後部Ｂの境界領域には、積層シート３の左側縁から、左の第２切込み１０へ向かって、積層シート３の幅方向内方へ伸びる左の第４切込み２０、及び、積層シート３の右側縁から、右の第２切込み１１へ向かって、積層シート３の幅方向内方へ伸びる右の第４切込み２１が形成されている。左右の第３切込み１８，１９間の距離は、左右の第４切込み２０，２１間の距離よりも小さいが、これに限られず、等しくてもよく、大きくてもよい。
【００３３】
中部Ｍにある積層シート３の左右方向の最大幅は、前部Ｆにある積層シート３の左右方向の最大幅より大きく、後部Ｂにある積層シート３の左右方向の最大幅と等しい。前部Ｆにある積層シート３の左右方向の最大幅は、中部Ｍにある吸収体２の左右方向の最大幅よりも大きい。
【００３４】
中部Ｍにある吸収体２の左側部は、左の第１切込み８と左の第２切込み１０との間に位置しており、着用者の股部の内腿に沿って対向するように折り曲げて使用される左の大腿部吸収体６を形成する。中部Ｍにある吸収体２の右側部は、右の第１切込み９と右の第２切込み１１との間に位置しており、着用者の股部の内腿に沿って対向するように折り曲げて使用される右の大腿部吸収体７を形成する。左右の大腿部吸収体６，７は、中部Ｍにある吸収体２の左右測に大きく突出している。
【００３５】
中部Ｍにある吸収体２の左右の大腿部吸収体６，７は、第１切込み８，９と第２切込み１０，１１との間にあるので、大腿部吸収体６，７の根元で折り曲げ可能である。更に、大腿部吸収体６，７の周囲にある積層シート３は、第３切込み１８，１９及び第４切込み２０，２１を有するので、吸収体２の大腿部吸収体６，７は、着用者の股部の内腿に沿って対向するように折り曲げて使用することができる。積層シート３に形成する第３切込み１８，１９及び第４切込み２０，２１の形状及び大きさは、図２に示したような形状及び大きさに限定されず、大腿部吸収体６，７を着用者の股部の内腿に沿って対向するように折り曲げて使用するのに適切な様々な形状及び大きさを採用することができる。
【００３６】
第４切込みがなくても、吸収体の大腿部吸収体が着用者の股部の内腿に沿って対向するように折り曲げて使用することができる場合には、第４切込みはなくてもよい。
【００３７】
図１に示されたように、吸収性物品１は、中部Ｍにある吸収体２の左右側に大きく突出した大腿部吸収体６，７を折り曲げて、着用者の股部の内腿に沿って対向するように配置できる。そのため、吸収性物品１の前部Ｆ、中部Ｍ及び後部Ｂをそれぞれ、着用者の下腹部、股部及び尻部に近接又は密接して配置できるので、吸収性物品１の着用者へのフィット性が高く、漏洩防止能力も高い。また、吸収性物品１の着用者が横向きに寝ているときでも、排泄された尿などを吸収し保持する大腿部吸収体６又は７が大きいので、漏洩防止能力が高い。吸収性物品１の着用者へのフィット性が高くても、左右の起立性ギャザー部４，５が、立体防漏構造としての機能を発揮できる位置までトップシート１２上に起立していればよい。
【００３８】
図２又は図３に示すように、左の大腿部吸収体６の根元、すなわち吸収体２における左の第１切込み８の内奥部と左の第２切込み１０の内奥部との間を結んだ領域には、弾性体２２a，２２ｂが設置されている。右の大腿部吸収体７の根元、すなわち吸収体２における右の第１切込み９の内奥部と右の第２切込み１１の内奥部との間を結んだ領域には、弾性体２２ｃ，２２ｄが設置されている。弾性体２２ａ，２２ｂ，２２ｃ，２２ｄは、吸収体２の下で、ボトムシート１３上に接着剤などで固定されている。
【００３９】
弾性体２２ａ，２２ｂ，２２ｃ，２２ｄは、例えば、天然ゴム、ポリウレタン樹脂、伸縮性のホットメルト等の伸縮可能な糸状の原材料により形成される。これらの弾性体は、糸状に限らず、帯状又はシート状の弾性体でもよい。
【００４０】
弾性体２２ａ，２２ｂ，２２ｃ，２２ｄは、大腿部吸収体６，７が着用者の股部の内腿に沿って対向するように、中部Ｍにある吸収体２の左右側部を折り曲げるための誘導部の一種である。大腿部吸収体６，７の根元に設置された弾性体２２ａ，２２ｂ，２２ｃ，２２ｄが収縮することにより、大腿部吸収体６，７は、該根元及びその周辺の位置で折り曲げ易くなり、着用者の股部の内腿に沿って対向させることが容易になる。
【００４１】
誘導部は、中部Ｍにある吸収体２の左右側部が斜め方向に折れたり、左右非対称の位置で折れるなど、望ましくない方向や位置で折り曲げることを防止する。これにより防漏性をも向上させる。誘導部は、弾性体を設ける以外に、吸収体にスリットや溝を設けてもよい。誘導部を設ける位置は、吸収性物品を着用したときに、着用者の股間部と大腿部の間で前後方向に伸びる位置であればよい。誘導部は、左右それぞれ１つ以上設けることが望ましい。多くの誘導部を設けることで、より確実に、吸収性物品を着用者の正しい位置に維持することが可能となる。これは、着用者の動きや体型や姿勢によって、股間部から大腿部にかけて、中部Ｍにある吸収体２および大腿部吸収体６，７の折れる角度や位置が変わるためである。
【００４２】
吸収性物品１は、中部Ｍの左右に大きな大腿部吸収体６，７を有するので、中部Ｍの左右の大腿部吸収体６及び７間にある吸収体２の幅を狭くして、着用者の股間部へのフィット性を高くすることができる。例えば、図６に示された従来の吸収性物品１０１は、着用者の股間部に対向して配置される吸収体１０２の中央部の幅が、通常、大人用のスモールサイズでは１００ｍｍ、ミドルサイズでは１３０ｍｍ、ラージサイズでは１６０ｍｍである。これに対して、吸収性物品１は、着用者の股間部に対向して配置される吸収体２の中央部の幅が、大人用のスモールサイズでは８０ｍｍ、ミドルサイズでは１００ｍｍ、ラージサイズでは１２０ｍｍである。このように、左右に大きな大腿部吸収体６，７を有する吸収性物品１は、着用者の股間部に対向して配置される吸収体２の中央部の幅を従来の吸収性物品１０１に比べて２０ｍｍから４０ｍｍ程度狭くして、着用者の股間部へのフィット性を高くすることができる。
【００４３】
図２及び図３に示すように、吸収性物品１は、吸収体２の幅方向中央部における左右のギャザーシート１４，１５の内側縁を投影した領域付近に、前後方向に延びる左右の凹んだ溝２３，２４が形成されている。左右の溝２３，２４は、大腿部吸収体６を折り曲げるための誘導部の別の一種である。大腿部吸収体６，７の根元よりも中央側に位置した溝２３，２４の位置で吸収体２を折り曲げ易くなるので、吸収性物品１は、着用者の股間部へのフィット性を一層高めることができると共に、着用者の股部の内腿に沿って対向させてフィット性を一層高めることができる。
【００４４】
左右の大腿部吸収体６，７の着用者対向面と左右のギャザーシート１４，１５との間には、それぞれ液不透過性シート１６ｂ，１６ｃが配置されている。左右の大腿部吸収体６，７の着用者対向面の反対面とボトムシート１３との間には、液不透過性シート１６ａが配置されている。大腿部吸収体６，７の着用者対向面及びその反対面の両方を覆う防漏構造が設けられているので、吸収性物品１の着用者が立っているとき、座っているとき、仰向け、うつ伏せ又は横向きに寝ているときのいずれでも、大腿部吸収体６，７に吸収された尿などの液体が外部に漏れることを防止できる。
【００４５】
図２に示す吸収性物品１の形状及び構造を有する本発明の実施例１と、図６に示す形状及び構造を有する従来例の吸収性物品１０１とについて、吸収能力の比較実験を行った。実施例１及び従来例は、積層シートの前後方向長さ５６０ｍｍ及び最大幅２６０ｍｍ、吸収体の前後方向長さ５１５ｍｍ及び最大幅２１０ｍｍが共通である。実施例１の吸収体２に含まれる総パルプ量は３４．４ｇ、総ＳＡＰ量は１２．１ｇであり、吸収体２の着用者対向面の面積は０．０９９ｍ２である。従来例の吸収体１０２に含まれる総パルプ量は３２．０ｇ、総ＳＡＰ量は１１．０ｇであり、吸収体１０２の着用者対向面の面積は０．０９２ｍ２である。このように、実施例１の吸収体２の総パルプ量、総ＳＡＰ量及び着用者対向面の面積は、従来例の吸収体１０２のそれらの１．１倍以下であり、ほぼ等しい。実施例１及び従来例は、吸収体の厚みも等しい。
【００４６】
これらの実施例１及び従来例の吸収性物品について、着用者が仰向きに寝た場合及び横向きに寝た場合の吸収能力の比較実験を行った。具体的には、各吸収性物品を成人標準体型に準じた人形に装着し、人工尿を１５ｍｌ／秒で、起立性ギャザー部を超えて漏れるまで注入した。吸収後の吸収性物品の重量から吸収前の吸収性物品の重量を引いて、吸収量を求めた。この実験を５回ずつ行って、実施例１及び従来例の吸収性物品の平均吸収量を求めて、比較した。
【００４７】
上述した実験の結果によれば、着用者が仰向きに寝た場合の平均吸収量は、実施例１が７９７ｇであり、従来品の５６１ｇに対して、１．４倍以上大きかった。また、着用者が横向きに寝た場合の平均吸収量は、実施例１が５４２ｇであり、従来品の４２４ｇに対して、１．３倍大きかった。このようにして、本発明の吸収性物品１は、中部Ｍにある左右の大きな大腿部吸収体６，７が折り曲げられて、着用者の股部の内腿に沿って対向するように配置されるので、着用者が仰向きに寝た場合でも、横向きに寝た場合でも、尿などの漏洩を効率的に防止できることが確認された。
【００４８】
次に、図４及び図５は、本発明の他の実施例である吸収性物品３０を示す。吸収性物品３０の要素のうち、吸収性物品１の要素と同じものは、同じ符号を付し、説明を適宜省略する。
【００４９】
図４及び図５に示すように、吸収性物品３０は、吸収体２の幅方向中央部に溝２３，２４が形成されていない。吸収性物品３０の積層シート３１は、トップシート３２、ボトムシート３３、及び、液不透過性シート３４を含む。図４においては、液不透過性シート１４は省略されている。トップシート３２は、吸収性物品１のトップシート１２と同じである。ボトムシート３３は、吸収性物品１のボトムシート１３、左ギャザーシート１４、及び右ギャザーシート１５を連続させて一体にした構造及びこれらの機能を有する。液不透過性シート３４は、吸収性物品１の液不透過性シート１６ａ，１６ｂ，及び１６ｃを連続させて一体にした構造及びこれらの機能を有する。吸収性物品３０は、ボトムシート３３及び液不透過性シート３４が前述したような一体構造を有するので、各シートを接着する工程が少ない。
【００５０】
図４に示すように、吸収性物品３０の積層シート３１は、前部Ｆ、中部Ｍ及び後部Ｂにおける左右方向の各最大幅が、互いに等しく、且つ、吸収体２の左右方向の最大幅より少し大きい。積層シート３１の左右側縁は、吸収体２の左右方向の最大幅より少し外側の位置で、平行に前後方向に伸びている。前部Ｆと中部Ｍとの境界領域には、吸収体２に左右の第１切込み８，９が形成され、積層シート３１に左右の第３切込み１８，１９が形成されている。中部Ｍと後部Ｂの境界領域には、吸収体２に左右の第２切込み１０，１１が形成され、積層シート３１に左右の第４切込み２０，２１が形成されている。積層シート３１の左右方向の最大幅が吸収体２の左右方向の最大幅よりも僅かに広い程度であるので、吸収性物品３０は、左右幅をスリムにでき、積層シート３の原材料も少なくできる。
【００５１】
本発明は、前記の各実施形態に限定されない。本発明の範囲は、少なくとも、前記の各実施形態から自明な変形例、本発明の本質を変更しない変形例を含む。
【産業上の利用可能性】
【００５２】
本発明の吸収性物品は、使い捨ておむつの吸収本体として使用するほか、使い捨ておむつやパンツなどの着用物の内側表面に取付けて、尿取りパッド、失禁用パッド等として使用することができる。本発明の吸収性物品は、特に、臥床していることの多い着用者用に適している。
【符号の説明】
【００５３】
１，３０：吸収性物品、  ２：吸収体、  ３，３１：積層シート、
３ａ：積層シートの着用者対向面、
４、５：起立性ギャザー部、  ６，７：大腿部吸収体、
８，９：第１切込み、    １０，１１：第２切込み、
１２，３２：トップシート、  １３，３３：ボトムシート、
１４，１５：ギャザーシート、
１６ａ，１６ｂ，１６ｃ，３４：液不透過性シート、
１７ａ，１７ｂ，１７ｃ，１７ｄ，１７ｅ，１７ｆ：弾性体、
１８，１９：第３切込み、  ２０，２１：第４切込み、
２２ａ，２２ｂ，２２ｃ，２２ｄ：弾性体、
２３，２４：溝
Ｆ：前部、  Ｍ：中部、  Ｂ：後部
【図１】
2020025739.tif 000003
【図２】
2020025739.tif 000004
【図３】
2020025739.tif 000005
【図４】
2020025739.tif 000006
【図５】
2020025739.tif 000007
【図６】
2020025739.tif 000008
【手続補正書】
【提出日】平成31年1月11日(2019.1.11)
【手続補正１】
【補正対象書類名】特許請求の範囲
【補正対象項目名】全文
【補正方法】変更
【補正の内容】
【特許請求の範囲】
【請求項１】
吸収体と、該吸収体を内包するように複数のシートが積層された積層シートと、該積層シートの着用者対向面上で長手方向に伸びる左右の起立性ギャザー部と、を備え、
着用者の下腹部、股部及び尻部に夫々対応する前部、中部及び後部に区画された大人用おむつであって、
該吸収体は、該前部と該中部との境界領域に、該吸収体の幅方向内方へ伸びる左右の第１切込みを有し、且つ、該中部と該後部との境界領域に、該吸収体の幅方向内方へ伸びる左右の第２切込みを有し、
該積層シートは、該前部と該中部との境界領域に、該第１切込みへ向かって該積層シートの幅方向内方へ伸びる左右の第３切込みを有し、
該中部にある該吸収体の左右側部は、着用者の股部の内腿に沿って対向するように折り曲げて使用される左右の大腿部吸収体を形成し、
該積層シートには、左右の該大腿部吸収体の根元で且つ着用者対向面と反対側の領域に、弾性体が設置されていることを特徴とする大人用おむつ。
【請求項２】
前記積層シートは、前記中部と前記後部との境界領域に、前記第２切込みへ向かって前記積層シートの幅方向内方へ伸びる左右の第４切込みを有することを特徴とする請求項１記載の大人用おむつ。
【請求項３】
左右の該大腿部吸収体の先端から根元までの着用者対向面及びその反対面の両方を覆う防漏構造を有することを特徴とする請求項１記載の大人用おむつ。
【手続補正２】
【補正対象書類名】明細書
【補正対象項目名】全文
【補正方法】変更
【補正の内容】
【発明の詳細な説明】
【技術分野】
【０００１】
本発明は、使い捨ての大人用おむつに関する。
【背景技術】
【０００２】
使い捨ての吸収性物品として、図６に示すように、長手方向の中部が狭くなったひょうたん型の吸収性コア１０２と、該吸収性コア１０２を挟んだ液透過性の表面シート１０３及び液不透過性の裏面シート１０４と、該表面シート１０３上で長手方向に伸びる左右の起立性ギャザー部１０５，１０６と、を備えた吸収性物品１０１が知られている。
【０００３】
この吸収性物品１０１は、着用者の股部に対応する該中部が狭くなっており、該中部にある該吸収性コア１０２が小さい。そのため、着用者が横向きに寝ているとき、排泄された尿が、該中部の該吸収性コア１０２で十分に吸収されず、外部へ漏れてしまうことがある。
【０００４】
特許文献１には、使い捨ての吸収性物品であって、長方形の吸収性コアと、該吸収性コアを挟んだ長方形の表面シート及び裏面シートと、該表面シート上で長手方向に伸びる左右の立体防漏構造形成シートと、を備えたものが開示されている。該吸収性コアは、その前方域及び後方域に、その左右側縁から幅方向内方且つ長手方向内方に入り込んだ切り欠きを有する。この吸収性物品が着用されるとき、該吸収性コアの前後の該切り欠きの間の部分が該表面シート側に折り曲げられて、該吸収性コアが舟形状に変形する。更に、左右の該防漏構造形成シートの自由端部が起立する。
【０００５】
この吸収性物品は、該吸収性コアが前記舟形状に変形するため、着用者とのフィット性が低い。そのため、着用者が横向きに寝ているとき、排泄された尿が、該立体防漏構造形成シートと着用者との間に生じた隙間から外部へ漏れるおそれがある。
【先行技術文献】
【特許文献】
【０００６】
【特許文献１】特許第５９８２２７２号公報
【発明の概要】
【発明が解決しようとする課題】
【０００７】
本発明の一つの目的は、着用者が横向きに寝ているときの液漏れ防止に優れた大人用おむつを提供することである。本発明の他の目的は、着用者へのフィット性に優れた大人用おむつを提供することである。
【課題を解決するための手段】
【０００８】
本発明の一の態様は、吸収体と、該吸収体を内包するように複数のシートが積層された積層シートと、該積層シートの着用者対向面上で長手方向に伸びる左右の起立性ギャザー部と、を備え、着用者の下腹部、股部及び尻部に夫々対応する前部、中部及び後部に区画された大人用おむつであって、該吸収体は、該前部と該中部との境界領域に、該吸収体の幅方向内方へ伸びる左右の第１切込みを有し、且つ、該中部と該後部との境界領域に、該吸収体の幅方向内方へ伸びる左右の第２切込みを有し、該積層シートは、該前部と該中部との境界領域に、該第１切込みへ向かって該積層シートの幅方向内方へ伸びる左右の第３切込みを有し、該中部にある該吸収体の左右側部は、着用者の股部の内腿に沿って対向するように折り曲げて使用される左右の大腿部吸収体を形成し、該積層シートには、左右の該大腿部吸収体の根元で且つ着用者対向面と反対側の領域に、弾性体が設置されていることを特徴とする。
【０００９】
本発明の他の態様の大人用おむつは、前記積層シートが、前記中部と前記後部との境界領域に、前記第２切込みへ向かって前記積層シートの幅方向内方へ伸びる左右の第４切込みを有してもよい。本発明の更に他の態様の大人用おむつは、左右の前記大腿部吸収体の先端から根元までの着用者対向面及びその反対面の両方を覆う防漏構造を有してもよい。
【００１０】
本発明は、前記の態様に限定されない。本発明の更なる詳細、特徴、機能、及び／又は効果は、本発明の好ましい例示的な実施形態についての以下の説明によって更に明らかになる。
【図面の簡単な説明】
【００１１】
【図１】本発明の一実施例である大人用おむつの斜視図である。
【図２】本発明の一実施例である大人用おむつを弾性体が収縮力を発揮していない状態で示した平面図である。
【図３】図２の大人用おむつが着用される状態のＩＩＩ―ＩＩＩ線断面図である。
【図４】本発明の他の実施例である大人用おむつを弾性体が収縮力を発揮していない状態で示した平面図である。
【図５】図４の大人用おむつが着用される状態のＶ―Ｖ線断面図である。
【図６】従来例の吸収性物品を弾性体が収縮力を発揮していない状態で示した平面図である。
【発明を実施するための形態】
【００１２】
図１から図３は、本発明の一実施例である大人用おむつ１を示す。大人用おむつ１は、図示しない使い捨ておむつやパンツなどの着用物の内側表面に取付けられ、尿取りパッド、失禁用パッド等として使用される。図１に示すように、大人用おむつ１は、吸収体２と、吸収体２を内包するように複数のシートが積層された積層シート３と、積層シート３の着用者対向面３ａ上で長手方向に伸びる左右の起立性ギャザー部４及び５と、着用者の股部の内腿に沿って対向するように折り曲げて使用される左右の大腿部吸収体６及び７と、を備えている。
【００１３】
図１及び図２に示すように、大人用おむつ１は、着用者の下腹部、股部及び尻部に夫々対応する、前部Ｆ、中部Ｍ及び後部Ｂに区画されている。大人用おむつ１は、長手方向を前後方向として、幅方向を左右方向とする。
【００１４】
吸収体２は、液保持性を有し、着用者から排出された尿などの液体を素早く吸収して、内部に保持する。吸収体２の原材料は、例えば、ロールシート状のパルプを解繊した吸水性繊維、及び、粉末状又は顆粒状の高吸水性ポリマー、を含む。これら原材料が、吸引ドラムの周面に設置された成形型へ空気搬送され、成形型の中に吸引されながら堆積して成形される。かかる成形物を、図示しない吸水紙又は不織布で挟む又は包むことにより、吸収体が製造される。
【００１５】
前部Ｆと中部Ｍとの境界領域には、吸収体２の左右側縁の夫々から幅方向内方へ伸びる左の第１切込み８及び右の第１切込み９が形成されている。中部Ｍと後部Ｂとの境界領域には、吸収体２の左右側縁の夫々から幅方向内方へ伸びる左の第２切込み１０及び右の第２切込み１１が形成されている。左右の第１切込み８及び９間の距離は、左右の第２切込み１０及び１１間の距離よりも大きいが、これに限られず、等しくてもよく、小さくてもよい。
【００１６】
中部Ｍにある吸収体２の左右方向の最大幅は、前部Ｆにある吸収体２の左右方向の最大幅より大きいが、これに限られず、等しくてもよく、小さくてもよい。中部Ｍにある吸収体２の左右方向の最大幅は、後部Ｂにある吸収体２の左右方向の最大幅と等しいが、これに限られず、小さくてもよく、大きくてもよい。中部Ｍにある吸収体２は、着用者の股部の内腿に沿って対向するように折り曲げて使用される左右の大腿部吸収体６及び７を形成でき、且つ大人用おむつ１の着用者が横向きに寝た状態で排泄した尿を十分に吸収し保持できるように、適切な様々な大きさ及び形状を採用することができる。
【００１７】
図２又は図３に示すように、積層シート３は、トップシート１２、ボトムシート１３、左ギャザーシート１４、右ギャザーシート１５、及び液不透過性シート１６ａ，１６ｂ，１６ｃと、を含む。図２において、液不透過性シート１６ａ，１６ｂ，１６ｃは省略されている。積層シート３を構成する各シートの前後方向の長さは、同じであり、また、吸収体２の前後方向の長さよりも長い。
【００１８】
トップシート１２は、長方形状である。トップシート１２は、吸収体２の上面すなわち着用者対向面の上に、吸収体２の左右側部を除いた中央部を覆うように配置される。トップシート１２の左右方向の幅は、前部Ｆ、中部Ｍ及び後部Ｂにある吸収体２の各最大幅よりも小さい。トップシート２は、左右の第１切込み８，９の内奥部及び左右の第２切込み１０，１１の内奥部を覆っている。トップシート１２は、液透過性を有し、尿などの液体がトップシート１２を透過して吸収体２の中へ移ることを可能にする。
【００１９】
ボトムシート１３は、大人用おむつ１の外装シートである。ボトムシート１３は、吸収体２の下面すなわち着用者対向面の反対面の下に、吸収体２全体を覆うように配置される。前部Ｆ、中部Ｍ及び後部Ｂのいずれにおいても、ボトムシート１３の左右方向の幅は、吸収体２の左右方向の幅よりも大きい。ボトムシート１３と吸収体２との間には、ボトムシート１３と略同一形状の液不透過性シート１６ａが配置され、接着剤などで接合される。ボトムシート１３及び液不透過性シート１６ａは、トップシート３を透過した液体や、吸収体２が吸収又は保持しきれなかった液体が、外部へ漏れるのを防止する。液不透過性シート１６ａがある場合は、ボトムシート１３は漏れ防止のためには無くても良い。不織布からなるボトムシート１３がポリエチレンやポリエステルのフィルムなどからなる液不透過性シート１６ａの外側を覆う場合には、大人用おむつ１をアウターであるおむつや下着に装着して使用したときにずれ難くしたり、肌ざわりを良くする効果がある。
【００２０】
左ギャザーシート１４は、吸収体２の上面すなわち着用者対向面の上に、吸収体２の左側部を覆うように配置される。左ギャザーシート１４の左側縁は、ボトムシート１３の左側縁と略同じ輪郭である。左ギャザーシート１４の右側部は、その右側縁を折り目としたトップシート１２へ向かう折り返し部１４ａを有する。
【００２１】
左ギャザーシート１４の左側部と吸収体２の左側部との間には、液不透過性シート１６ｂが配置され、接着剤などで接合される。液不透過性シート１６ｂの左側縁は、ボトムシート１３の左側縁と略同じ輪郭である。
【００２２】
左ギャザーシート１４とその折り返し部１４ａとの間には、前後方向両端部を除いた位置に、前後方向に伸びる弾性体１７ａ，１７ｂ，１７ｃが、該折り目から順に並列に設置されている。折り返し部１４ａを含む左ギャザーシート１４は、左側部及び前後方向両端部で積層シート３の他のシートと接着剤などで固定されている。弾性体１７ａ，１７ｂ，１７ｃの収縮により、左ギャザーシート１４にひだが形成されると共に、左ギャザーシート１４の右側部がトップシート１２の上面から起立する。このようにして、積層シート３の着用者対向面３ａであるトップシート１２の上面上で、長手方向に伸びる左の起立性ギャザー部４が形成される。
【００２３】
右ギャザーシート１５は、吸収体２の上面すなわち着用者対向面の上に、吸収体２の右側部を覆うように配置される。右ギャザーシート１５の右側縁は、ボトムシート１３の右側縁と略同じ輪郭である。右ギャザーシート１５の左側部は、その左側縁を折り目としたトップシート１２へ向かう折り返し部１５ａを有する。
【００２４】
右ギャザーシート１５の右側部と吸収体２の右側部との間には、液不透過性シート１６ｃが配置され、接着剤などで接合される。液不透過性シート１６ｃの右側縁は、ボトムシート１３の右側縁と略同じ輪郭である。
【００２５】
右ギャザーシート１５とその折り返し部１５ａとの間には、前後方向両端部を除いた位置に、前後方向に伸びる弾性体１７ｄ，１７ｅ，１７ｆが、該折り目から順に並列に設置されている。折り返し部１５ａを含む右ギャザーシート１５は、右側部及び前後方向両端部で積層シート３の他のシートと接着剤などで固定されている。弾性体１７ｄ，１７ｅ，１７ｆの収縮により、右ギャザーシート１５にひだが形成されると共に、右ギャザーシート１５の左側部がトップシート１２の上面から起立する。このようにして、積層シート３の着用者対向面３ａであるトップシート１２の上面上で、長手方向に伸びる右の起立性ギャザー部５が形成される。
【００２６】
トップシート１２の原材料は、例えば、ポリエチレン、ポリプロピレン、ポリエステル、ナイロン、レーヨン等の化学繊維、綿、セルロース等の天然繊維、またはこれらの組合せからなる、液透過性の不織布を用いることができる。トップシート１２は、不織布に限られず、例えば、液透過可能に形成された有孔フィルム、ティシュ、もしくはそれらの積層体、又はそれらを適宜つなぎ合わせてシート状にしたものでもよい。
【００２７】
ボトムシート１３、左ギャザーシート１４、及び、右ギャザーシート１５は、液不透過性または撥水性を有しており、例えば、ポリエチレン、ポリプロピレン、ポリエステル、ナイロン、レーヨン等の化学繊維、綿、セルロース等の天然繊維、又はこれらの組合せなどの原材料からなる不織布である。ボトムシート１３、左ギャザーシート１４、及び右ギャザーシート１５は、不織布に限られず、例えば、樹脂フィルム、ティッシュ、伸縮材、若しくは、それらの積層体、又はそれらを適宜つなぎ合わせてシート状としたものでもよい。
【００２８】
液不透過性シート１６ａ，１６ｂ，１６ｃは、例えば、ポリエチレン、ポリプロピレン、ポリエステル、ナイロンなどのフィルムや、コーティング加工した不織布などの液不透過性の材料で形成される。
【００２９】
積層シート３及びこれを構成する各シートは、前述したものに限られず、吸収体２を内包し、着用者から排泄された尿などの液体を外部に漏らさずに、吸収体２に吸収及び保持させるために、適切な様々な大きさ、形状、及び積層の順序を採用することができる。
【００３０】
弾性体１７ａ，１７ｂ，１７ｃ，１７ｄ，１７ｅ，１７ｆは、例えば、天然ゴム、ポリウレタン樹脂、伸縮性のホットメルト等の伸縮可能な糸状の原材料により形成される。これらの弾性体は、糸状に限らず、帯状又はシート状でもよい。
【００３１】
前部Ｆと中部Ｍとの境界領域には、積層シート３の左側縁から、左の第１切込み８へ向かって、積層シート３の幅方向内方へ伸びる左の第３切込み１８、及び、積層シート３の右側縁から、右の第１切込み９へ向かって、積層シート３の幅方向内方へ伸びる右の第３切込み１９が形成されている。
【００３２】
中部Ｍと後部Ｂの境界領域には、積層シート３の左側縁から、左の第２切込み１０へ向かって、積層シート３の幅方向内方へ伸びる左の第４切込み２０、及び、積層シート３の右側縁から、右の第２切込み１１へ向かって、積層シート３の幅方向内方へ伸びる右の第４切込み２１が形成されている。左右の第３切込み１８，１９間の距離は、左右の第４切込み２０，２１間の距離よりも小さいが、これに限られず、等しくてもよく、大きくてもよい。
【００３３】
中部Ｍにある積層シート３の左右方向の最大幅は、前部Ｆにある積層シート３の左右方向の最大幅より大きく、後部Ｂにある積層シート３の左右方向の最大幅と等しい。前部Ｆにある積層シート３の左右方向の最大幅は、中部Ｍにある吸収体２の左右方向の最大幅よりも大きい。
【００３４】
中部Ｍにある吸収体２の左側部は、左の第１切込み８と左の第２切込み１０との間に位置しており、着用者の股部の内腿に沿って対向するように折り曲げて使用される左の大腿部吸収体６を形成する。中部Ｍにある吸収体２の右側部は、右の第１切込み９と右の第２切込み１１との間に位置しており、着用者の股部の内腿に沿って対向するように折り曲げて使用される右の大腿部吸収体７を形成する。左右の大腿部吸収体６，７は、中部Ｍにある吸収体２の左右測に大きく突出している。
【００３５】
中部Ｍにある吸収体２の左右の大腿部吸収体６，７は、第１切込み８，９と第２切込み１０，１１との間にあるので、大腿部吸収体６，７の根元で折り曲げ可能である。更に、大腿部吸収体６，７の周囲にある積層シート３は、第３切込み１８，１９及び第４切込み２０，２１を有するので、吸収体２の大腿部吸収体６，７は、着用者の股部の内腿に沿って対向するように折り曲げて使用することができる。積層シート３に形成する第３切込み１８，１９及び第４切込み２０，２１の形状及び大きさは、図２に示したような形状及び大きさに限定されず、大腿部吸収体６，７を着用者の股部の内腿に沿って対向するように折り曲げて使用するのに適切な様々な形状及び大きさを採用することができる。
【００３６】
第４切込みがなくても、吸収体の大腿部吸収体が着用者の股部の内腿に沿って対向するように折り曲げて使用することができる場合には、第４切込みはなくてもよい。
【００３７】
図１に示されたように、大人用おむつ１は、中部Ｍにある吸収体２の左右側に大きく突出した大腿部吸収体６，７を折り曲げて、着用者の股部の内腿に沿って対向するように配置できる。そのため、大人用おむつ１の前部Ｆ、中部Ｍ及び後部Ｂをそれぞれ、着用者の下腹部、股部及び尻部に近接又は密接して配置できるので、大人用おむつ１の着用者へのフィット性が高く、漏洩防止能力も高い。また、大人用おむつ１の着用者が横向きに寝ているときでも、排泄された尿などを吸収し保持する大腿部吸収体６又は７が大きいので、漏洩防止能力が高い。大人用おむつ１の着用者へのフィット性が高くても、左右の起立性ギャザー部４，５が、立体防漏構造としての機能を発揮できる位置までトップシート１２上に起立していればよい。
【００３８】
図２又は図３に示すように、左の大腿部吸収体６の根元、すなわち吸収体２における左の第１切込み８の内奥部と左の第２切込み１０の内奥部との間を結んだ領域には、弾性体２２a，２２ｂが設置されている。右の大腿部吸収体７の根元、すなわち吸収体２における右の第１切込み９の内奥部と右の第２切込み１１の内奥部との間を結んだ領域には、弾性体２２ｃ，２２ｄが設置されている。弾性体２２ａ，２２ｂ，２２ｃ，２２ｄは、吸収体２の下で、ボトムシート１３上に接着剤などで固定されている。
【００３９】
弾性体２２ａ，２２ｂ，２２ｃ，２２ｄは、例えば、天然ゴム、ポリウレタン樹脂、伸縮性のホットメルト等の伸縮可能な糸状の原材料により形成される。これらの弾性体は、糸状に限らず、帯状又はシート状の弾性体でもよい。
【００４０】
弾性体２２ａ，２２ｂ，２２ｃ，２２ｄは、大腿部吸収体６，７が着用者の股部の内腿に沿って対向するように、中部Ｍにある吸収体２の左右側部を折り曲げるための誘導部の一種である。大腿部吸収体６，７の根元に設置された弾性体２２ａ，２２ｂ，２２ｃ，２２ｄが収縮することにより、大腿部吸収体６，７は、該根元及びその周辺の位置で折り曲げ易くなり、着用者の股部の内腿に沿って対向させることが容易になる。
【００４１】
誘導部は、中部Ｍにある吸収体２の左右側部が斜め方向に折れたり、左右非対称の位置で折れるなど、望ましくない方向や位置で折り曲げることを防止する。これにより防漏性をも向上させる。誘導部を設ける位置は、大人用おむつを着用したときに、着用者の股間部と大腿部の間で前後方向に伸びる位置であればよい。誘導部は、左右それぞれ１つ以上設けることが望ましい。多くの誘導部を設けることで、より確実に、大人用おむつを着用者の正しい位置に維持することが可能となる。これは、着用者の動きや体型や姿勢によって、股間部から大腿部にかけて、中部Ｍにある吸収体２および大腿部吸収体６，７の折れる角度や位置が変わるためである。
【００４２】
大人用おむつ１は、中部Ｍの左右に大きな大腿部吸収体６，７を有するので、中部Ｍの左右の大腿部吸収体６及び７間にある吸収体２の幅を狭くして、着用者の股間部へのフィット性を高くすることができる。例えば、図６に示された従来の吸収性物品１０１は、着用者の股間部に対向して配置される吸収体１０２の中央部の幅が、通常、大人用のスモールサイズでは１００ｍｍ、ミドルサイズでは１３０ｍｍ、ラージサイズでは１６０ｍｍである。これに対して、大人用おむつ１は、着用者の股間部に対向して配置される吸収体２の中央部の幅が、大人用のスモールサイズでは８０ｍｍ、ミドルサイズでは１００ｍｍ、ラージサイズでは１２０ｍｍである。このように、左右に大きな大腿部吸収体６，７を有する大人用おむつ１は、着用者の股間部に対向して配置される吸収体２の中央部の幅を従来の吸収性物品１０１に比べて２０ｍｍから４０ｍｍ程度狭くして、着用者の股間部へのフィット性を高くすることができる。
【００４３】
図２及び図３に示すように、大人用おむつ１は、吸収体２の幅方向中央部における左右のギャザーシート１４，１５の内側縁を投影した領域付近に、前後方向に延びる左右の凹んだ溝２３，２４が形成されている。左右の溝２３，２４は、大腿部吸収体６を折り曲げるための誘導部の一種である。大腿部吸収体６，７の根元よりも中央側に位置した溝２３，２４の位置で吸収体２を折り曲げ易くなるので、大人用おむつ１は、着用者の股間部へのフィット性を一層高めることができると共に、着用者の股部の内腿に沿って対向させてフィット性を一層高めることができる。
【００４４】
左右の大腿部吸収体６，７の着用者対向面と左右のギャザーシート１４，１５との間には、それぞれ液不透過性シート１６ｂ，１６ｃが配置されている。左右の大腿部吸収体６，７の着用者対向面の反対面とボトムシート１３との間には、液不透過性シート１６ａが配置されている。図３に示すように、大腿部吸収体６，７の先端から根元までの着用者対向面及びその反対面の両方を覆う防漏構造が設けられているので、大人用おむつ１の着用者が立っているとき、座っているとき、仰向け、うつ伏せ又は横向きに寝ているときのいずれでも、大腿部吸収体６，７に吸収された尿などの液体が外部に漏れることを防止できる。
【００４５】
図２に示す大人用おむつ１の形状及び構造を有する本発明の実施例１と、図６に示す形状及び構造を有する従来例の吸収性物品１０１とについて、吸収能力の比較実験を行った。実施例１及び従来例は、積層シートの前後方向長さ５６０ｍｍ及び最大幅２６０ｍｍ、吸収体の前後方向長さ５１５ｍｍ及び最大幅２１０ｍｍが共通である。実施例１の吸収体２に含まれる総パルプ量は３４．４ｇ、総ＳＡＰ量は１２．１ｇであり、吸収体２の着用者対向面の面積は０．０９９ｍ２である。従来例の吸収体１０２に含まれる総パルプ量は３２．０ｇ、総ＳＡＰ量は１１．０ｇであり、吸収体１０２の着用者対向面の面積は０．０９２ｍ２である。このように、実施例１の吸収体２の総パルプ量、総ＳＡＰ量及び着用者対向面の面積は、従来例の吸収体１０２のそれらの１．１倍以下であり、ほぼ等しい。実施例１及び従来例は、吸収体の厚みも等しい。
【００４６】
これらの実施例１及び従来例について、着用者が仰向きに寝た場合及び横向きに寝た場合の吸収能力の比較実験を行った。具体的には、各大人用おむつを成人標準体型に準じた人形に装着し、人工尿を１５ｍｌ／秒で、起立性ギャザー部を超えて漏れるまで注入した。吸収後の大人用おむつの重量から吸収前の大人用おむつの重量を引いて、吸収量を求めた。この実験を５回ずつ行って、実施例１及び従来例の平均吸収量を求めて、比較した。
【００４７】
上述した実験の結果によれば、着用者が仰向きに寝た場合の平均吸収量は、実施例１が７９７ｇであり、従来品の５６１ｇに対して、１．４倍以上大きかった。また、着用者が横向きに寝た場合の平均吸収量は、実施例１が５４２ｇであり、従来品の４２４ｇに対して、１．３倍大きかった。このようにして、本発明の大人用おむつ１は、中部Ｍにある左右の大きな大腿部吸収体６，７が折り曲げられて、着用者の股部の内腿に沿って対向するように配置されるので、着用者が仰向きに寝た場合でも、横向きに寝た場合でも、尿などの漏洩を効率的に防止できることが確認された。
【００４８】
次に、図４及び図５は、本発明の他の実施例である大人用おむつ３０を示す。大人用おむつ３０の要素のうち、大人用おむつ１の要素と同じものは、同じ符号を付し、説明を適宜省略する。
【００４９】
図４及び図５に示すように、大人用おむつ３０は、吸収体２の幅方向中央部に溝２３，２４が形成されていない。大人用おむつ３０の積層シート３１は、トップシート３２、ボトムシート３３、及び、液不透過性シート３４を含む。図４においては、液不透過性シート１４は省略されている。トップシート３２は、大人用おむつ１のトップシート１２と同じである。ボトムシート３３は、大人用おむつ１のボトムシート１３、左ギャザーシート１４、及び右ギャザーシート１５を連続させて一体にした構造及びこれらの機能を有する。液不透過性シート３４は、大人用おむつ１の液不透過性シート１６ａ，１６ｂ，及び１６ｃを連続させて一体にした構造及びこれらの機能を有する。大人用おむつ３０は、ボトムシート３３及び液不透過性シート３４が前述したような一体構造を有するので、各シートを接着する工程が少ない。
【００５０】
図４に示すように、大人用おむつ３０の積層シート３１は、前部Ｆ、中部Ｍ及び後部Ｂにおける左右方向の各最大幅が、互いに等しく、且つ、吸収体２の左右方向の最大幅より少し大きい。積層シート３１の左右側縁は、吸収体２の左右方向の最大幅より少し外側の位置で、平行に前後方向に伸びている。前部Ｆと中部Ｍとの境界領域には、吸収体２に左右の第１切込み８，９が形成され、積層シート３１に左右の第３切込み１８，１９が形成されている。中部Ｍと後部Ｂの境界領域には、吸収体２に左右の第２切込み１０，１１が形成され、積層シート３１に左右の第４切込み２０，２１が形成されている。積層シート３１の左右方向の最大幅が吸収体２の左右方向の最大幅よりも僅かに広い程度であるので、大人用おむつ３０は、左右幅をスリムにでき、積層シート３の原材料も少なくできる。
【００５１】
本発明は、前記の各実施形態に限定されない。本発明の範囲は、少なくとも、前記の各実施形態から自明な変形例、本発明の本質を変更しない変形例を含む。
【産業上の利用可能性】
【００５２】
本発明の大人用おむつは、使い捨ておむつの吸収本体として使用するほか、使い捨ておむつやパンツなどの着用物の内側表面に取付けて、尿取りパッド、失禁用パッド等として使用することができる。本発明の大人用おむつは、特に、臥床していることの多い着用者用に適している。
【符号の説明】
【００５３】
１，３０：大人用おむつ、  ２：吸収体、  ３，３１：積層シート、
３ａ：積層シートの着用者対向面、
４、５：起立性ギャザー部、  ６，７：大腿部吸収体、
８，９：第１切込み、    １０，１１：第２切込み、
１２，３２：トップシート、  １３，３３：ボトムシート、
１４，１５：ギャザーシート、
１６ａ，１６ｂ，１６ｃ，３４：液不透過性シート、
１７ａ，１７ｂ，１７ｃ，１７ｄ，１７ｅ，１７ｆ：弾性体、
１８，１９：第３切込み、  ２０，２１：第４切込み、
２２ａ，２２ｂ，２２ｃ，２２ｄ：弾性体、
２３，２４：溝
Ｆ：前部、  Ｍ：中部、  Ｂ：後部